(57)【要約】【課題】  保冷剤の袋に大葉や菊の花等を印刷してなることにより、別に大葉や菊の花、魚文字等を用意することなく、コストダウンが計れると共に、大葉や菊の花等を紛失することなく、いつでも保冷剤を使用するとき、大葉や菊の花等も使用できるため、便利であり、生鮮食品パック内の保冷機能と彩りを加え、セラミック粉末により、抗菌・脱臭・鮮度保持等の機能を有するデザイン付保冷剤を提供する。【解決手段】  生鮮食品のパック内に入れて使用するもので、保冷剤の袋に緑色の大葉や黄色の菊の花等を印刷してなることを特徴とするデザイン付保冷剤。【選択図】図１
0003146084.tif 000002
【実用新案登録請求の範囲】
【請求項１】
生鮮食品のパック内に入れて使用するもので、保冷剤の袋に緑色の大葉や黄色の菊の花、魚文字等を印刷してなることを特徴とするデザイン付保冷剤。
【請求項２】
大葉や菊の花のデザインは保冷剤の袋内に全形を保つようにマーク合わせしてあり、表面・裏面を大葉と菊の花で別々に印刷してリバーシブルに使用することもできることを特徴とする請求項１記載のデザイン付保冷剤。
【請求項３】
袋に、遠赤外線を放射するセラミックス粉末をフィルム表面へ塗布してなることを特徴とする請求項１又は２記載のデザイン付保冷剤。
【請求項４】
セラミックス粉末が、粒径が５ミクロン以下で、炭化珪素又は酸化珪素５０乃至７０％重量、酸化アルミニウム１５乃至２５％重量、酸化チタン５乃至１０％重量の割合で焼成されてなることを特徴とする請求項３記載のデザイン付保冷剤。
【請求項５】
袋の材質をポリアミドとポリエチレンの積層とし、セラミックス粉末を重量比３乃至１０％塗布してなることを特徴とする請求項３又は４記載のデザイン付保冷剤。
【請求項６】
保冷剤として、高吸水性樹脂と水を混合したゲル状ポリマー水溶液又は水か防腐処理された水とすることを特徴とする請求項１、２、３、４又は５記載のデザイン付保冷剤。
【考案の詳細な説明】
【技術分野】
【０００１】  本考案は、生鮮食品のパック内に入れて使用する保冷・抗菌・脱臭・鮮度保持等の機能を有すると共に、食鮮フレッシュシートとしての大葉や菊の花、魚文字等を設けてなるデザイン付保冷剤に関するものである。
【背景技術】
【０００２】  背景技術として、保冷材において、冷媒として塩水を用い、さらにそれを抗菌剤混錬樹脂容器に封入し、氷結させて用いた。また、冷媒として、アルコール水溶液を封入した。アルコールはより具体的にはエタノール水溶液を利用するという手段を採用したものがある。
（特許文献１参照）【０００３】  また、別の背景技術として、複数の樹脂フイルムを積層した複合フイルムで製作した複合樹脂フイルム製袋であって、袋の外の食品が複合フイルムの外面に接触する袋において、袋の外面を構成する複合フイルム最外層の樹脂フイルムは、抗菌剤を混入した抗菌フイルムであることを特徴とする複合樹脂フイルム製袋がある。（特許文献２参照）
【特許文献１】  特開平１１−１６８５号公報
【特許文献２】  実用新案登録第３０７３８２８号公報
【考案の開示】
【考案が解決しようとする課題】
【０００４】  上記前者においては、可溶性塩水を封入してなるもので抗菌性を有するものであるが、大葉や菊の花等を袋に表示しているものではなく、使用時において大葉や菊の花を別に用意する必要がある。【０００５】  上記後者の場合においても、抗菌フイルム（銀ゼオライト）を使用するもので、上記と同様に使用時において大葉や菊の花等を別に用意する必要がある。【０００６】  本考案は、このような従来の構成が有する問題点を解決しようとするものであり、保冷剤の袋に大葉や菊の花、魚文字等を印刷してなることにより、別に大葉や菊の花等を用意することなく、コストダウンが計れると共に、大葉や菊の花等を紛失することなく、いつでも保冷剤を使用するとき、大葉や菊の花等も使用できるため、便利であり、魚文字は特に鮨用と刺身用に分けて使用できる。また、生鮮食品パック内の保冷機能と彩りを加え、セラミック粉末により、抗菌・脱臭・鮮度保持等の機能を有するデザイン付保冷剤を提供することを目的とするものである。
【課題を解決するための手段】
【０００７】  本考案は、上記目的を達成するため、生鮮食品のパック内に入れて使用するもので、保冷剤の袋に緑色の大葉や黄色の菊の花、魚文字等を印刷してなる。
袋に、遠赤外線を放射するセラミックス粉末をフィルム表面へ塗布してなるセラミックス粉末が、粒径が５ミクロン以下で、炭化珪素又は酸化珪素５０乃至７０％重量、酸化アルミニウム１５乃至２５％重量、酸化チタン５乃至１０％重量の割合で焼成されてなる。
袋の材質をポリアミドとポリエチレンの積層とし、セラミックス粉末を重量比３乃至１０％塗布してなる。
保冷剤として、高吸水性樹脂と水を混合したゲル状ポリマー水溶液又は水か防腐処理された水とすることを特徴とする。
【考案の効果】
【０００８】１）、保冷剤の袋に大葉や菊の花、魚文字等を印刷してなることにより、保冷剤としても使用できるし、同時に大葉や菊の花等も使用でき、無駄がない。
２）、保冷効果に加え、セラミックス粉末により、抗菌・脱臭・鮮度保持等の効果があり、生鮮食品（特に生もの）を長時間保存できる。
３）、セラミックス粉末が、粒径が５ミクロン以下で、炭化珪素又は酸化珪素５０乃至７０％重量、酸化アルミニウム１５乃至２５％重量、酸化チタン５乃至１０％重量の割合で焼成されてなることにより、有効な抗菌・脱臭・鮮度保持効果を発揮できる。
４）、表面・裏面を例えば大葉と菊の花で別々にすることにより、効率よく彩りを表現できる。
５）、特に魚文字は、鮨用（１５ｇ）と刺身用（３０ｇ）に分けることにより、用途別に再利用できるものである。
【考案の実施するための最良の形態】
【０００９】  デザイン付保冷剤１は、生鮮食品（主に刺身等の鮮度保持を必要とするもの）のパック内に入れて使用するもので、保冷剤２（高吸水性樹脂と水を混合したゲル状ポリマー水溶液又は水か防腐処理された水）を内設してなる材質３ａをポリアミドとポリエチレンとし、セラミックス粉末３ｂ（粒径が５ミクロン以下で、炭化珪素又は酸化珪素５０乃至７０％重量、酸化アルミニウム１５乃至２５％重量、酸化チタン５乃至１０％重量の割合で焼成されてなる）を重量比３乃至１０％コーティングしてなる透明な袋３に、緑色の大葉４を上下面に印刷してある。
【００１０】  デザイン付保冷剤２１は、上記と同様な保冷剤２と透明な袋３で構成され、袋３の上下面に黄色の菊の花２４を印刷してなる。又、表面・裏面を大葉と菊の花で別々にリバーシブルに印刷することも可能である。
【００１１】  デザイン付保冷剤３１は、上記と同様な保冷剤２と上記と異なる不透明な袋３３で構成され、袋３３の上下面の中心に鮨の大文字３４を印刷すると共に、周囲に鯛や鰤等の小文字を印刷してあり、保冷剤２を１５ｇ入れてなる。
【００１２】  デザイン付保冷剤４１は、上記と同様な保冷剤２と上記と同様な不透明な袋４３で構成され、袋４３の上下面に、同一の大きさの魚文字４４ａで、例えば鮃・鰆・▲鰤▼等を等間隔にて印刷してあり、保冷剤２を３０ｇ入れてなる。
【００１３】  上記デザイン付保冷剤１・デザイン付保冷剤２１を例えばハマチの刺身のパック（図示せず）内に使用した場合、ハマチの刺身を７切れにデザイン付保冷剤１・デザイン付保冷剤２１どちらか２０ｇを１袋としてのデータとして、外気温２５℃で２時間が経過しても、変色などの鮮度落ちは見られなかった。
【００１４】  また、細菌結果としては、デザイン付保冷剤１・デザイン付保冷剤２１を使用していない場合、８時間後４５，５００であったが、使用した場合、１６時間後の非触部において５１７で、接触部においては１８７と少なく、高い抗菌効果が得られた。
【００１５】  特に、赤身や白身の魚（刺身）を上記デザインはより刺身を鮮やかに見せるためのもので、保冷剤と組み合わせることにより、保冷機能と彩りを一体化してコストダウンが可能となった。
【００１６】  デザイン付保冷剤の大きさ（ｇ数）は必要に応じて設定すればよく、緑色の大葉のデザインも保冷剤の大きさに応じて全形でもハーフにもデザインすることは可能で、魚文字も必要に応じて決めればよく、使用用途も刺身以外にも弁当等、いろいろな食品にも使用できる。
【図面の簡単な説明】
【００１７】
【図１】  本考案の第１実施例を示すデザイン付保冷剤の正面図。
【図２】  本考案の第１実施例を示すデザイン付保冷剤の平面図。
【図３】  本考案の第２実施例を示すデザイン付保冷剤の平面図。
【図４】  本考案の第３実施例を示すデザイン付保冷剤の平面図。
【図５】  本考案の第４実施例を示すデザイン付保冷剤の平面図。
【符号の説明】
【００１８】  １−−−デザイン付保冷剤
２−−−保冷剤
３−−−透明な袋
３ａ−−材質
３ｂ−−セラミックス粉末
４−−−大葉
２４−−菊の花
３４−−大文字
３４ａ−小文字
【図１】
0003146084.tif 000003
【図２】
0003146084.tif 000004
【図３】
0003146084.tif 000005
【図４】
0003146084.tif 000006
【図５】
0003146084.tif 000007